(57)【特許請求の範囲】
【請求項１】
筒状の胴体部（２）と、
前記胴体部の下端部側に設けられた収容部（５）と、
前記胴体部（２）に設けられ、折り返し部（３Ｃ）を含み、前記折り返し部（３）で折り返すことで折り畳み可能とされた帯状部（３）と、
前記胴体部（２）に設けられ、折り畳まれた前記帯状部（３）の少なくとも一部を覆い、前記帯状部（３）を固定可能な可動収納部（４）と、
を備え、
前記折り返し部（３Ｃ）は、前記収容部（５）よりも前記胴体部（２）の上端部側に位置し、
前記可動収納部（４）は、第１可動収納部（４Ａ）と第２可動収納部（４Ｂ）とを含み、
前記第１可動収容部（４Ａ）および前記第２可動収容部（４Ｂ）は、前記折り返し部（３Ｃ）より前記胴体部（２）の上端部側に位置し、
前記帯状部（３）は、前記第１可動収納部（４Ａ）と前記第２可動収納部（４Ｂ）との間に延在するように設けられ、
前記第１可動収納部（４Ａ）と前記第２可動収納部（４Ｂ）とは、折り畳んだ状態の前記帯状部（３）を前記第１可動収納部（４Ａ）と前記第２可動収納部（４Ｂ）とで固定した状態で固定可能な固定部（１０ａ，１０ｂ）を有する、ゴルフバッグ（１）。
【請求項２】
前記帯状部（３）を折り畳んだ際に、該帯状部（３）の一部を前記帯状部（３）の他の部分に対し、固定することで、前記帯状部（３）を折り畳んだ状態で保持可能な固定手段（１１）をさらに備えた、請求項１に記載のゴルフバッグ（１）。
【請求項３】
前記可動収納部（４）を用いて、前記帯状部（３）を固定した際に、前記可動収納部（４）の表面の少なくとも一部に透光性を有する透光性部材（４ｃ）を設けた、請求項１または請求項２に記載のゴルフバッグ（１）。
【発明の詳細な説明】
【技術分野】
【０００１】
本発明はゴルフクラブを収納するゴルフバッグ（キャディバッグ）に関し、特に、帯状部を折り畳み固定可能なゴルフバッグに関する。
【背景技術】
【０００２】
一般に、ゴルフバッグは、肩掛けベルト等を用いて、持ち運び可能とされている。肩掛けベルト等の帯状部を備えたゴルフバッグの従来例としては、たとえば、特開２００２−８５６１０号公報に記載されたゴルフバッグがある。このゴルフバッグでは、ゴルフバッグの本体に長尺な肩掛けベルトが設けられている。また、他に、肩掛けベルト等の長尺な帯状部を備えたゴルフバッグの従来例としては、たとえば、特開２００１−９５９６５号公報、特開平１０−１１３４０９号公報、実開平６−７５５４０号公報、実開平１−１６７２７９号公報等に記載されたゴルフバッグ等がある。
【０００３】
このようなゴルフバッグは、一般に、コースを回るときに、乗用カート等に乗せられて運ばれる。そして、コース上においては、乗用カート等に乗せられたゴルフバッグから、ボール等の収納物が取り出される。
【特許文献１】特開２００２−８５６１０号公報
【特許文献２】特開２００１−９５９６５号公報
【特許文献３】特開平１０−１１３４０９号公報
【特許文献４】実開平６−７５５４０号公報
【特許文献５】実開平１−１６７２７９号公報
【発明の開示】
【発明が解決しようとする課題】
【０００４】
しかし、上記従来のゴルフバッグにおいては、ボール等の収納物を出し入れする際に、ポケット等の収納部上に帯状部が覆い被さり、帯状部が邪魔になるという問題があった。
【０００５】
本発明は、上記のような課題に鑑みてなされたものであり、その目的は、肩掛けベルト等の帯状部がゴルフバッグ本体に設けられた収納部上に覆い被さることを抑制して、収納物の出し入れを良好に行なうことができるゴルフバッグを提供することである。
【課題を解決するための手段】
【０００６】
本発明に係るゴルフバッグは、１つの局面では、筒状の胴体部と、胴体部の下端部側に設けられた収容部と、胴体部に設けられ、折り返し部を含み、折り返し部で折り返すことで折り畳み可能とされた帯状部と、胴体部に設けられ、折り畳まれた帯状部の少なくとも一部を覆い、帯状部を固定可能な可動収納部とを備える。上記折り返し部は、収容部よりも胴体部の上端部側に位置し、可動収納部は、第１可動収納部と第２可動収納部とを含み、第１可動収容部および第２可動収容部は、折り返し部より胴体部の上端部側に位置し、帯状部は、第１可動収納部と第２可動収納部との間に延在するように設けられ、第１可動収納部と第２可動収納部とは、折り畳んだ状態の帯状部を第１可動収納部と第２可動収納部とで固定した状態で固定可能な固定部を有する。好ましくは、帯状部を折り畳んだ際に、帯状部の一部を帯状部の他の部分に対し、固定することで、帯状部を折り畳んだ状態で保持可能な固定手段をさらに備える。好ましくは、可動収納部は、第１可動収納部と第２可動収納部とを含み、帯状部は、第１可動収納部と第２可動収納部との間に延在するように設けられ、第１可動収納部と第２可動収納部とは、折り畳んだ状態の帯状部を第１可動収納部と第２可動収納部とで固定した状態で固定可能な固定部を有する。好ましくは、可動収納部を用いて、帯状部を固定した際に、可動収納部の表面の少なくとも一部に透光性を有する透光性部材を設けた。本発明に係るゴルフバッグは、他の局面では、筒状の胴体部と、胴体部に設けられ、折り畳み可能な帯状部と、帯状部を折り畳まれた状態で保持するための第１固定手段と、折り畳まれた状態の帯状部を胴体部に固定することで、帯状部が揺れ動くのを抑制可能な第２固定手段とを備える。
【発明の効果】
【０００７】
本発明に係るゴルフバッグによれば、収納部から収納物を出し入れする際に、肩掛けベルト等の帯状部により収納部が覆われることを抑制して、収納物の取り出し等を良好に行なうことができる。
【発明を実施するための最良の形態】
【０００８】
図１から図８を用いて、本実施の形態に係るゴルフバッグ１について説明する。図１は、本実施の形態に係るゴルフバッグ１の正面図であり、肩掛けベルト３を用いて、ゴルフバッグ１を持ち運び可能な状態を示した図である。この図１に示されるように、ゴルフバッグ１は、ゴルフクラブを挿入可能な開口部Ｐが形成され、ゴルフクラブを収納する筒状の胴体部２と、この胴体部２に設けられ、折り畳み可能な肩掛けベルト（帯状部）３と、胴体部２に設けられた可動収納部４Ａ，４Ｂとを備えている。
【０００９】
肩掛けベルト３は、胴体部２の長手方向に延在し、胴体部２の上端部側から下端部側に亘って長尺に設けられており、両端部が胴体部２に接続されている。このような肩掛けベルト３を肩にかけて、ゴルフバッグ１を持ち運びすることができる。この肩掛けベルト３はクッション等を有するパッド部３Ａと、パッド部３Ａの一方の端部に設けられ、胴体部２の上端部側に接続されたベルト３Ｅと、パッド部３Ａの他方の端部に設けられ、胴体部２に接続されたベルト３Ｄとを備えている。パッド部３Ａは、パッド部３Ａの長手方向の中央部に形成された折り返し部３Ｃにおいて、折り返し可能とされている。なお、折り返し部３Ｃは、パッド部３Ａの中央部に１つ形成されている場合に限られず、パッド部３Ａに複数形成されてもよく、また、パッド部３Ａ自体を丸められるようにしてもよい。すなわち、パッド部３Ａまたは肩掛けベルト３自体が、長手方向の長さが短くなるようにコンパクトにすることが可能なように形成されておればよい。
【００１０】
この肩掛けベルト３には、パッド部３Ａが折り畳まれた状態を保持する固定手段（第１固定手段）１１が設けられている。この固定手段１１は、パッド部３Ａに設けられた磁石等を有する固定部１１ａと、パッド部３Ａを折り畳んだ際に、固定部１１ａと対向する部分に設けられ、固定部１１ａに対応する固定部１１ｂとを備えている。この固定部１１ａ、１１ｂは、互いに引かれあうように設けられた磁石であってもよく、他に、たとえば、面ファスナ、ホック、ボタン等の互いに係合可能な係合部とされてもよい。なお、固定部１１ａ、１１ｂは、パッド部３Ａの両端部に設けられているが、この位置に限られない。
【００１１】
可動収納部４Ａ，４Ｂは、肩掛けベルト３の長手方向と交差する肩掛けベルト３の幅方向から肩掛けベルト３を挟みこむように配置されており、肩掛けベルト３が可動収納部４Ａ，４Ｂ間に延在するように配置されている。また、この可動収納部４Ａ，４Ｂは、パッド部３Ａの折り返し部３Ｃより、胴体部２の上端部側に位置しており、パッド部３Ａが折り畳まれた際においても、パッド部３Ａは、可動収納部４Ａ，４Ｂ間に位置する。可動収納部４Ａ，４Ｂの周辺部のうち、肩掛けベルト３に隣接して、肩掛けベルト３に沿うよう延在する周辺部が、胴体部２の表面に縫着され固定されており、この周辺部の他の部分では、可動収納部４Ａ、４Ｂと胴体部２の表面とが着脱可能なように接続された部分が設けられている。
【００１２】
このため、可動収納部４Ａ，４Ｂは、肩掛けベルト３に沿って延在する周辺部を中心に回動して、胴体部２の表面に対して立ち上がり可能とされていると共に、胴体部２の表面に固定可能とされている。なお、本実施の形態においては、可動収納部４Ａ、４Ｂは、肩掛けベルト３に隣接する周辺部を縫着し、この周辺部を中心に折り返し可能とすることで、胴体部２の表面に立ち上がり可能とされているが、これに限られない。たとえば、肩掛けベルト３に隣接する周辺部の一部をピン止めしてもよく、このピンを中心に可動収納部４Ａ，４Ｂを回転可能とすることにより、胴体部２の表面に対して立ち上がり可能としてもよい。
【００１３】
可動収納部４Ａ、４Ｂは、胴体部２の表面に一部が縫着固定されているため、胴体部２に対して着脱可能な部分を、胴体部２に固定することにより、可動収納部４Ａ、４Ｂを胴体部２の表面に固定することができる。可動収納部４Ａ，４Ｂを胴体部２の表面に固定することにより、可動収納部４Ａ，４Ｂがばたつくことを抑制することができ、良好に持ち運びすることができる。また、この可動収納部４Ａ，４Ｂが胴体部２の表面に固定されている場合に、外方に露出する可動収納部４Ａ，４Ｂの表面には、たとえば、チャック等が設けられた開閉可能な開口部４ａが形成されており、収納対象物を可動収納部４Ａ，４Ｂ内に収納したり、可動収納部４Ａ，４Ｂ内の収納物を取り出したりすることができる。胴体部２には、下端部側に形成された収納部５と、可動収納部４Ａ，４Ｂに対して、肩掛けベルト３と反対側に位置する側面に形成された収納部６とが形成されている。
【００１４】
図２は、肩掛けベルト３のパッド部３Ａを折り畳んだときの、ゴルフバッグ１の正面図である。
【００１５】
パッド部３Ａを折り畳むと、パッド部３Ａおよびベルト３Ｄは、収納部５上から胴体部２の上端部側に退避する。すなわち、折り返し部３Ｃが、収納部５より胴体部５の上端部側に位置しているため、パッド部３Ａのうち、折り返し部３Ｃより胴体部２の下端部側に位置する部分を、パッド部３Ａのうち、折り返し部３Ｃより胴体部２の上端部側に位置する部分に向けて、折り返すことにより、折り返し部３Ｃより下方に位置する収納部５上からパッド部３Ａが退避する。ここで、ベルト３Ｄの一方の端部が、収納部５より胴体部２の上端部側で胴体部２に固定されており、ベルト３Ｄの他方の端部が、パッド部３Ａの下端部に接続されている。このため、パッド部３Ａの下端部側の部分を、上端部側の部分に向けて折り畳むと、ベルト３Ｄは、胴体部２の上端部側から、収納部５より上方までの間に亘って配置されることになり、収納部５上から退避することになる。すなわち、ベルト３Ｄは、パッド部３Ａを折り畳む際に、パッド部３Ａにより巻き取られ、収納部５上から退避する。そして、パッド部３Ａの折り畳み状態は、図１に示す固定手段１１により保持することができる。
【００１６】
なお、ベルト３Ｄの長さは、ベルト３Ｅの長さよりも長尺に形成されており、さらに、パッド部３Ａを折り畳んだ際に、ベルト３Ｄが突っ張らないような長さとされている。さらに、ベルト３Ｄの端部の固定位置は、上記のような位置に限られない。
【００１７】
図３は、折り畳まれたパッド部３Ａを可動収納部４Ａ，４Ｂにより固定したときのゴルフバッグ１の正面図である。可動収納部４Ａ，４Ｂには、折り畳んだ状態の肩掛けベルト３を可動収納部４Ａ、４Ｂで固定した状態で、可動収納部４Ａ，４Ｂ同士を固定可能にする固定部１０ａ、１０ｂが設けられている。そして、折り畳まれた肩掛けベルト３の側面を覆うように、肩掛けベルト３の両側に配置された２つの可動収納部４が、胴体部２の表面上に立ち上げられている。そして、固定部１０ａ、１０ｂにより、可動収納部４Ａ，４Ｂを固定することにより、肩掛けベルト３が胴体部２上で固定されている。
【００１８】
このように、可動収納部４Ａ，４Ｂを用いて、肩掛けベルト３を固定する際には、肩掛けベルト３は、図１に示す固定手段１１により、折り畳み状態が保持されているので、可動収納部４Ａ，４Ｂによって、肩掛けベルト３を固定する作業を容易に行なうことができる。このように、収納部５上から退避した状態の肩掛けベルト３を固定することにより、収納部５から収納物を出し入れする際に、肩掛けベルト３が邪魔になることを抑制することができ、良好に収納物の出し入れを行なうことができる。さらに、折り畳まれた肩掛けベルト３を、可動収納部４Ａ，４Ｂにより強固に固定することができるので、折り畳まれた肩掛けベルト３が横方向に揺れることを抑制することができる。このため、胴体部２の側面に形成された収納部６において、収納物を出し入れする際においても、肩掛けベルト３が邪魔になることを抑制することができ、良好に、収納部６から収納物を出し入れすることができる。
【００１９】
なお、本実施の形態においては、肩掛けベルト３の両側面側に設けられた可動収納部４Ａ、４Ｂにより、折り畳まれた肩掛けベルト３を固定することとしているが、これに限られない。たとえば、１つの可動収納部の大きさを、折り畳まれた肩掛けベルト３を覆うことが可能な程度の大きさとして、１つの可動収納部により、折り畳まれた肩掛けベルト３を固定するようにしてもよい。また、可動収納部４Ａ，４Ｂを、肩掛けベルト３の側面側に配置する場合に限られず、各可動収納部４Ａ，４Ｂを、肩掛けベルト３の長手方向の両端部側に配置してもよい。すなわち、可動収納部４Ａ，４Ｂは、折り畳まれた肩掛けベルト３の少なくも一部を覆うことで、肩掛けベルト３を固定できればよい。
【００２０】
図４は、可動収納部４Ａ，４Ｂを用いて、折り畳まれた肩掛けベルト３を固定した際の、一部拡大図である。この図４に示されるように、折り畳まれた肩掛けベルト３を固定した際に、可動収納部４Ａ，４Ｂの露出した表面の少なくとも一部に、透光性部材４ｃが設けられている。透光性部材４ｃは、可動収納部４Ａ，４Ｂ内が見えるように、無色透明、有色透明の部材により構成されている。このため、この透光性部材４ｃを介して、可動収納部４Ａ、４Ｂ内の収納物を確認することができる。また、折り畳まれた肩掛けベルト３を固定した状態の可動収納部４Ａ、４Ｂの表面には、チャック等が設けられ開閉可能な開口部４ｂが形成されており、肩掛けベルト３を固定した状態においても、可動収納部４Ａ，４Ｂに収納物を収納したり、収納物を取り出したりすることができる。特に、折り畳まれた肩掛けベルト３を固定した状態においては、可動収納部４Ａ、４Ｂは、胴体部２から立ち上がって状態とされており、図３において、ゴルフクラブが出し入れされる開口部Ｐの近傍に位置しているため、複数のゴルフバッグが乗用カートに乗せられた状態であっても、容易に可動収納部４Ａ，４Ｂから収納物を出し入れすることができる。
【００２１】
図５は、可動収納部４Ｂを胴体部２に着脱可能に固定する固定手段１０の拡大図である。この図５に示されるように、固定手段１０は、胴体部２に設けられた固定部１０ａと、可動収納部４Ｂに設けられた固定部１０ｂとを備えている。固定部１０ｂは、可動収納部４Ｂの表面に設けられたベルトの端部に固定された基部１０ｂ２と、この基部１０ｂ２の表面上に設けられた凸部１０ｂ１とを備えている。この凸部１０ｂ１は、基部１０ｂ２の表面上に接続された軸部と、この軸部の先端部に形成され、軸部の径より大径に形成された傘部とを備えている。固定部１０ａは、胴体部２に設けられたベルト１０ａ５と、このベルト１０ａ５の端部に接続された基部１０ａ６とを備えている。
【００２２】
この基部１０ａ６には、２つの脚部１０ａ１と、この脚部１０ａ１間に形成された脚部１０ａ２とを備えている。脚部１０ａ１同士は、ベルト１０ａ５側から先端部側に向かうに従って、互いに近接するように傾斜するように配置されている。そして、先端部では、各脚部１０ａ１は離間しており、固定部１０ｂの軸部が通過可能な程度の隙間１０ａ３が形成されている。この各脚部１０ａ１間には、脚部１０ａ２が形成されており、この脚部１０ａ２の先端部には、凸部１０ｂ１の軸部の表面に沿うように湾曲面が形成されている。そして、基部１０ａ６のうち、脚部１０ａ１と脚部１０ａ２の付根部側では、凸部１０ｂ１を挿入可能な穴部１０ａ４が形成されている。
【００２３】
図６は、固定部１０ａと、固定部１０ｂとが係合した状態を示す拡大図である。この図６に示されるように、固定部１０ｂの凸部１０ｂ１は、２つの脚部１０ａ１と、脚部１０ａ２とにより固定されている。凸部１０ｂ１は、固定部１０ａの穴部１０ａ４からでも挿入可能とされており、固定部１０ａ、１０ｂが互いに離間する方向に引っ張られると、凸部１０ｂ１の軸部は、脚部１０ａ１と脚部１０ａ２との間を通りぬけ可能とされている。そして、脚部１０ａ２の先端部側にて、凸部１０ｂ１の軸部は、２つの脚部１０ａ１と脚部１０ａ２とにより支持される。さらに、固定部１０ａと固定部１０ｂとを離間させる方向に引っ張られると、凸部１０ｂ１の軸部は、脚部１０ａ１間の隙間１０ａ３を通り、固定部１０ａと固定部１０ｂとの係合状態が解除可能とされている。
【００２４】
すなわち、図２において、胴体部２に固定された可動収納部４Ａ，４Ｂを、可動収納部４Ａ，４Ｂの回動方向に向けて可動収納部４Ａ，４Ｂを引っ張ることにより、図６のような固定手段１０の係合状態を図５に示すような解除状態とすることができる。このため、複数のゴルフバッグが乗用カート上に乗せられ、直接固定手段１０を操作し難い状況であっても、可動収納部４Ａ，４Ｂを引っ張ることにより、固定手段１０の係合状態を解除することができ、折り畳まれた肩掛けベルト３を可動収納部４Ａ，４Ｂにより固定する作業を容易に行なうことができる。図７は、可動収納部４Ａに設けられた固定部１０ａと、可動収納部４Ｂに設けられた固定部１０ｂとが係合した状態を示す図であり、この図７に示されるように、胴体部２に可動収納部４Ａ，４Ｂを固定する際に用いられる固定手段１０の固定部１０ａ、１０ｂは、折り畳んだ状態の肩掛けベルト３を固定する際に、可動収納部４Ａ，４Ｂ同士を固定する際にも用いることができる。
【００２５】
図８は、パッド部３Ａを折り畳んだ状態における斜視図である。この図８に示されるように、折り畳まれた肩掛けベルト３と、胴体部２との間には、取手７が設けられている。そして、ゴルフバッグ１には、折り畳まれたパッド部３Ａを取手７の表面に固定する固定手段（第２固定手段）３Ｂを設けるのが好ましい。この固定手段３Ｂは、取手７の表面に設けられた固定手段３Ｂ１と、取手７に対向するパッド部３Ａの表面に設けられた固定手段３Ｂ２とを備える。このような固定手段３Ｂを設けることにより、折り畳まれた状態のパッド部３Ａの上端部は、ベルト３Ｅにより支持され、下端部側が固定手段３Ｂにより支持されるため、折り畳まれたパッド部３Ａのふらつきを抑制することができる。特に、折り返し部３Ｃと、胴体部２のうち、折り返し部３Ｃと対向する部分とに固定手段３Ｂを設けて、折り畳まれたパッド部３Ａの下端部を胴体部２に設けた固定手段１１により支持するようにするのが好ましい。なお、固定手段３Ｂは、固定手段１１と同様に、磁石、面ファスナ、ホック、ボタン等の係合部材により構成してもよい。
【００２６】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００２７】
本発明はゴルフクラブを収納するゴルフバッグ（キャディバッグ）に関し、特に、帯状部を折り畳み固定可能なゴルフバッグに好適である。
【図面の簡単な説明】
【００２８】
【図１】実施の形態に係るゴルフバッグの正面図である。
【図２】肩掛けベルトのパッド部を折り畳んだときの、ゴルフバッグの正面図である。
【図３】折り畳まれたパッド部を可動収納部により固定したときのゴルフバッグの正面図である。
【図４】可動収納部を用いて、折り畳まれた肩掛けベルトを固定した際の、一部拡大図である。
【図５】可動収納部を胴体部に着脱可能に固定する固定手段の拡大図である。
【図６】固定部と、固定部とが係合した状態を示す拡大図である。
【図７】可動収納部に設けられた固定部と、可動収納部に設けられた固定部とが係合した状態を示す図である。
【図８】パッド部を折り畳んだ状態における斜視図である。
【符号の説明】
【００２９】
１  ゴルフバッグ、２  胴体部、３Ａ  パッド部、３  肩掛けベルト、３Ｂ  固定手段、３Ｂ１，３Ｂ２  固定部、４Ａ，４Ｂ  可動収納部、４ｃ  透光性部材、５  収納部。
【図１】
0004436795.tif 000002
【図２】
0004436795.tif 000003
【図３】
0004436795.tif 000004
【図４】
0004436795.tif 000005
【図５】
0004436795.tif 000006
【図６】
0004436795.tif 000007
【図７】
0004436795.tif 000008
【図８】
0004436795.tif 000009